(57)【要約】【課題】移動局に備えた移動無線機の変調方式を円滑に切替えることが可能な無線システムを提供する。【解決手段】エリアＡをカバーし変調方式Ａで移動局Ｃ（１−４）に備えた移動無線機と通信する第１固定無線機を備えた基地局Ａ（１−２）と、エリアＡと隣接するエリアＢをカバーし変調方式Ｂで移動無線機と通信する第２固定無線機を備えた基地局Ｂ（１−３）と、第１および第２固定無線機と有線で接続され第１および第２固定無線機を介して移動無線局と通話を行う統制局１−１と、エリアＡ，Ｂ間を移動する移動無線機を備えた移動局Ｃ（１−４）とで構成され、移動局Ｃ（１−４）がエリアＡ，Ｂ間を移動するとき、移動無線機の変調方式を電波状況に応じて基地局Ａ（１−２）の変調方式Ａか基地局Ｂ（１−３）の変調方式Ｂに自動的に切替える。【選択図】図１
2008085771.tif 000002
【特許請求の範囲】
【請求項１】
第１エリアをカバーし第１変調方式で移動局に備えた移動無線機と通信する第１固定無線機を備えた第１基地局と、前記第１エリアと隣接する第２エリアをカバーし第２変調方式で前記移動無線機と通信する第２固定無線機を備えた第２基地局と、前記第１および第２固定無線機と有線で接続され前記第１および第２固定無線機を介して前記移動無線機と通話を行う統制局と、前記第１および第２エリア間を移動する前記移動無線機を備えた前記移動局とで構成され、
前記移動無線機を備えた移動局が前記第１および第２エリア間を移動するとき、前記移動無線機の変調方式を、電波状況に応じて前記第１固定無線機を備えた第１基地局の前記第１変調方式か前記第２固定無線機を備えた第２基地局の前記第２変調方式に自動的に切替えることを特徴とする無線システム。
【請求項２】
請求項１記載の無線システムにおいて、前記移動無線機を備えた移動局が前記第１および第２エリアの一方から他方に移動するとき、前記第１固定無線機を備えた第１基地局と前記第２固定無線機を備えた第２基地局において、前記移動無線機を備えた移動局から受信する無線キャリアレベルを検波しＲＳＳＩとして前記統制局に入力し、前記統制局において、前記第１固定無線機を備えた第１基地局と前記第２固定無線機を備えた第２基地局からのＲＳＳＩを比較し比較した結果を基に、前記第１固定無線機を備えた第１基地局の変調方式か前記第２固定無線機を備えた第２基地局の変調方式かを方式情報として決定し、決定した前記方式情報を、前記第１固定無線機を備えた第１基地局と前記第２固定無線機を備えた第２基地局を介して前記移動無線機を備えた移動局へ送信し続け、前記移動無線機を備えた移動局は、受信した前記方式情報を判別して前記第１固定無線機を備えた第１基地局の第１変調方式か前記第２固定無線機を備えた第２基地局の第２変調方式に自動的に切替えることを特徴とする無線システム。
【発明の詳細な説明】
【技術分野】
【０００１】
本発明は、変調方式の異なるエリア間を移動する移動無線機を備えた移動局の変調方式を切替える無線システムに関する。
【背景技術】
【０００２】
変調方式の異なるエリアを有する固定無線機を備えた複数の基地局（以下、基地局という）の間を、移動無線機を備えた移動局（以下、移動局という）が移動し、複数の基地局と有線で接続された統制局と移動局と間で基地局を介して通話を行う移動通信では、エリアの境界付近でも高品質の通信を実現することが要望される。
【０００３】
特に、列車無線システムなど、移動局の移動範囲が広範囲にわたる場合、基地局が切替わると同時に、移動局の変調方式を円滑に切替える必要がある。
【０００４】
なお、列車無線システムの公知文献としては、例えば特許文献１などが挙げられる。
【０００５】
【特許文献１】特開２００４−２１５０８７号公報
【発明の開示】
【発明が解決しようとする課題】
【０００６】
移動局がエリアの境界付近を移動する際は、移動局の変調方式を円滑に切替えて、統制局と移動局間の通話を途切れなく継続する必要がある。
【０００７】
列車無線システムなど移動局が決まったエリアの境界付近を移動する場合、移動局の走行距離情報から移動局の位置情報に換算し、その位置情報を元に通信諸元例えば変調方式を切替える方法が考えられるが、対抗列車とのすれ違い等の周囲環境で電波状態が変化する移動通信においては、最適な方法ではない。
【０００８】
本発明の目的は、移動局に備えた移動無線機の変調方式を円滑に切替えることが可能な無線システムを提供することにある。
【課題を解決するための手段】
【０００９】
本発明は、第１エリアをカバーし第１変調方式で移動局に備えた移動無線機と通信する第１固定無線機を備えた第１基地局と、前記第１エリアと隣接する第２エリアをカバーし第２変調方式で前記移動無線機と通信する第２固定無線機を備えた第２基地局と、前記第１および第２固定無線機と有線で接続され前記第１および第２固定無線機を介して前記移動無線機と通話を行う統制局と、前記第１および第２エリア間を移動する前記移動無線機を備えた前記移動局とで構成され、前記移動無線機が前記第１および第２エリア間を移動するとき、前記移動無線機の変調方式を、電波状況に応じて前記第１固定無線機を備えた第１基地局の前記第１変調方式か前記第２固定無線機を備えた第２基地局の前記第２変調方式に自動的に切替えることを特徴とする無線システムである。
【００１０】
また本発明は、上記記載の無線システムにおいて、前記移動無線機を備えた移動局が前記第１および第２エリアの一方から他方に移動するとき、前記第１固定無線機を備えた第１基地局と前記第２固定無線機を備えた第２基地局において、前記移動無線機を備えた移動局から受信する無線キャリアレベルを検波しＲＳＳＩとして前記統制局に入力し、前記統制局において、前記第１固定無線機を備えた第１基地局と前記第２固定無線機を備えた第２基地局からのＲＳＳＩを比較し比較した結果を基に、前記第１固定無線機を備えた第１基地局の変調方式か前記第２固定無線機を備えた第２基地局の変調方式かを方式情報として決定し、決定した前記方式情報を、前記第１固定無線機を備えた第１基地局と前記第２固定無線機を備えた第２基地局を介して前記移動無線機を備えた移動局へ送信し続け、前記移動無線機を備えた移動局は、受信した前記方式情報を判別して前記第１固定無線機を備えた第１基地局の第１変調方式か前記第２固定無線機を備えた第２基地局の第２変調方式に自動的に切替えることを特徴とする無線システムである。
【発明の効果】
【００１１】
本発明によれば、移動局に備えた移動無線機の変調方式を円滑に切替えることが可能な無線システムを得ることができる。
【発明を実施するための最良の形態】
【００１２】
図１は、本発明による無線システムの実施の形態の構成図である。１−１は統制局で、有線で接続された基地局Ａ（１−２）または基地局Ｂ（１−３）を経由して、移動局Ｃ（１−４）と通話を行う。１−２は基地局Ａで、エリアＡをカバーし、変調方式Ａで移動局Ｃ（１−４）と無線で通信する。１−３は基地局Ｂで、エリアＢをカバーし、変調方式Ｂで移動局１−４と無線で通信する。１−４はエリアＡとエリアＢ間を移動する移動局Ｃで、エリアＡを移動中は変調方式Ａで基地局１−２と通信を行い、エリアＢを移動中は変調方式Ｂで基地局１−２と通信を行う。
【００１３】
図２は、本発明による無線システムにおける図１の統制局１−１の実施の形態の構成図である。統制局１−１は、基地局Ａ（１−２）からの音声信号及び制御情報（ＲＳＳＩ）と、基地局Ｂ（１−３）からの音声信号及び制御情報（ＲＳＳＩ）とを入力とする。ここで、ＲＳＳＩは Received Signal Strength Indicator の略称で、受信電界強度とよばれる。
【００１４】
２−１は受信電界強度比較部で、基地局Ａ（１−２）と基地局Ｂ（１−３）からのＲＳＳＩを比較し比較した結果を出力する。２−２は方式決定部で、受信電界強度検出部２−１で比較した結果を基に、基地局Ａ（１−２）の変調方式Ａか基地局Ｂ（１−３）の変調方式Ｂかを決定し、方式情報として、音声信号と合わせて、基地局Ａ（１−２）及び基地局Ｂ（１−３）へ送信し続ける。
【００１５】
方式決定部２−２は、受信電界強度検出部２−１で、基地局Ａ（１−２）と基地局Ｂ（１−３）からのＲＳＳＩを比較した結果、基地局Ａ（１−２）からのＲＳＳＩの方が基地局Ｂ（１−３）からのＲＳＳＩより大きい場合に、基地局Ａ（１−２）の変調方式Ａを方式情報として決定し、決定した方式情報を基地局Ａ（１−２）及び基地局Ｂ（１−３）へ送信し続ける。そして、基地局Ａ（１−２）からのＲＳＳＩより基地局Ｂ（１−３）からのＲＳＳＩの方が大きくなった場合に、基地局Ｂ（１−３）の変調方式Ｂを方式情報として決定し、決定した方式情報を基地局Ａ（１−２）及び基地局Ｂ（１−３）へ送信し続ける。
【００１６】
統制局１−１は、図１に示すように、基地局Ａ（１−２），基地局Ｂ（１−３）と有線で接続されている。マイク、スピーカを使い音声信号及び制御情報の方式情報を使って、基地局Ａ（１−２），基地局Ｂ（１−３）と通信する。
【００１７】
各基地局Ａ（１−２），基地局Ｂ（１−３）では、移動局Ｃ（１−４）からの電波を受信し、無線キャリアレベルを検波しＲＳＳＩとして、統制局１−１に入力する。
【００１８】
統制局１−１では、上記のように、基地局Ａ（１−２）と基地局Ｂ（１−３）からのＲＳＳＩを比較し比較した結果を基に、基地局Ａ（１−２）の変調方式Ａか基地局Ｂ（１−３）の変調方式Ｂかを決定し、方式情報として、音声信号と合わせて、基地局Ａ（１−２）及び基地局Ｂ（１−３）へ送信し続ける。
【００１９】
図３は、本発明による無線システムにおける図１の基地局Ａ（１−２），基地局Ｂ（１−３）の実施の形態の構成図である。図１の基地局Ａ（１−２），基地局Ｂ（１−３）の構成は同じである。３−１は入出力部で、図１，図２の統制局１−１とのインターフェース部である。３−２はチャネルコーディング部で、音声信号と方式情報などの制御情報により送信フレームを生成する。３−３は変調部で、変調方式は基地局毎に固定であり、基地局Ａ（１−２）は変調方式Ａ、基地局Ｂ（１−３）は変調方式Ｂである。３−４は送信部で、変調波信号を無線周波数帯の信号に変換する。３−５は電力増幅部で、無線周波数帯の信号を無線出力レベルまで増幅する。
【００２０】
３−６はデュプレクサであり、送信信号が受信側に回り込んで干渉したり、逆に送受共用アンテナ３−７からの受信信号が送信側に回り込んで干渉したりするのを防ぐ。３−７は送受共用アンテナで、電力増幅後の送信信号を図１の移動局Ｃ（１−４）に対して送信し、また移動局Ｃ（１−４）からの受信信号（無線周波数帯の信号）を受信する。
【００２１】
３−８は受信部で、移動局Ｃ（１−４）からの受信信号（無線周波数帯の信号）をベースバンド周波数の信号に変換し、且つ無線受信レベルを検波しＲＳＳＩとして出力する。３−９は復調部で、復調方式は基地局毎に固定で変調方式と同じであり、基地局Ａ（１−２）は復調方式Ａ、基地局Ｂ（１−３）は復調方式Ｂである。３−１０はチャネルデコーディング部で、音声信号を再生する。
【００２２】
入出力部３−１は、図１，図２の統制局１−１との間で音声信号および制御情報を入出力する。入出力部３−１では、統制局１−１から送信される制御情報である方式情報と、本基地局で実施する変調方式（基地局Ａ（１−２）の場合は変調方式Ａ、基地局Ｂ（１−３）の場合は変調方式Ｂ）を比較し、一致する場合のみ、以下の送信処理を実行し、一致しない場合は、以下の送信処理を実行しない。
【００２３】
チャネルコーディング部３−２で、音声信号と方式情報により送信フレームを生成する。送信フレームに対して、変調部３−３で変調処理を施し、送信部３−４で無線周波数帯の信号に変換し、電力増幅部３−５で無線出力レベルまで増幅し、デュプレクサ３−６を介して送受共用アンテナ３−７から図１，図４の移動局Ｃ（１−４）に対して送信する。
【００２４】
また、送受共用アンテナ３−７で図１，図４の移動局Ｃ（１−４）からの受信信号（無線周波数帯の信号）を受信すると、デュプレクサ３−６で送信側に回り込まないように制限し、受信部３−８でベースバンド周波数の信号に変換し、且つ無線受信レベルを検波しＲＳＳＩとして出力する。また、復調部３−９で復調処理を行い、チャネルデコーディング部３−１０で音声信号を再生し、入出力部３−１で音声信号と制御情報であるＲＳＳＩを、図１，図２の統制局１−１へ送信する。
【００２５】
図４は、本発明による無線システムにおける図１の移動局Ｃ（１−４）の実施の形態の構成図である。４−１は入力部で、マイク等からの音声信号入力をデジタルデータに符号化する。４−２はチャネルコーディング部で、音声信号と制御情報より送信フレームを生成する。４−３は変調部（変調方式Ａ）、４−４は変調部（変調方式Ｂ）で、スイッチＳＷ１（４−１６）で選択された方の変調部（変調方式Ａ）４−３または変調部（変調方式Ｂ）４−４が、変調方式Ａまたは変調方式Ｂの変調を実行する。４−５は送信部で、ベースバンド周波数の信号を無線周波数帯の信号に変換する。４−６は電力増幅部で、無線周波数帯の信号を無線出力レベルまで電力増幅する。
【００２６】
４−７はデュプレクサで、送信信号が後述の受信側に回り込んで干渉したり、逆に送受共用アンテナ４−８からの受信信号が送信側に回り込んで干渉したりするのを防ぐ。４−８は送受共用アンテナで、電力増幅部４−６で電力増幅後の送信信号を図１，図３の基地局Ａ（１−２）および基地局Ｂ（１−３）に対して送信し、また図１，図３の基地局Ａ（１−２）または基地局Ｂ（１−３）からの受信信号（無線周波数帯の信号）を受信する。
【００２７】
４−９は受信部で、図１，図３の基地局Ａ（１−２）または基地局Ｂ（１−３）からの受信信号（無線周波数帯の信号）をベースバンド周波数の信号に変換する。４−１０は復調部（復調方式Ａ）、４−１１は復調部（復調方式Ｂ）で、スイッチＳＷ２（４−１７）で選択された方の復調部（復調方式Ａ）４−１０または復調部（復調方式Ｂ）４−１１が、復調方式Ａまたは復調方式Ｂの復調を実行する。
【００２８】
４−１２はチャネルデコーディング部で、音声信号と制御情報である方式情報に分割する。４−１３は出力部で、チャネルデコーディング部４−１２で分割された音声信号をスピーカ等から出力する。４−１４は方式判定部で、チャネルデコーディング部４−１２で分割された制御情報である方式情報を入手し、基地局Ａ（１−２）の変調方式Ａか基地局Ｂ（１−３）の変調方式Ｂかを判定する。４−１５はスイッチＳＷ切替制御部で、方式判定部４−１４による判定を基に、スイッチＳＷ１（４−１６），スイッチＳＷ２（４−１７）の切替えを制御する。
【００２９】
送受共用アンテナ４−８で図１，図３の基地局Ａ（１−２）または基地局Ｂ（１−３）からの受信信号を受信すると、デュプレクサ４−７で送信側に回り込まないように制限し、受信部４−９でベースバンド周波数の信号に変換し、スイッチＳＷ切替制御部４−１５の制御によるスイッチＳＷ２（４−１７）で選択された方の復調部（復調方式Ａ）４−１０または復調部（復調方式Ｂ）４−１１で復調処理を施し、チャネルデコーディング部４−１２へ出力する。
【００３０】
チャネルデコーディング部４−１２では、音声信号と制御情報である方式情報に分割して出力する。音声信号は出力部４−１３でスピーカ等から出力される。また、方式判定部４−１４ではチャネルデコーディング部４−１２からの制御情報である方式情報を入手し、基地局Ａ（１−２）の変調方式Ａか基地局Ｂ（１−３）の変調方式Ｂかを判定し、判定を基に、スイッチＳＷ切替制御部４−１５で、スイッチＳＷ１（４−１６），スイッチＳＷ２（４−１７）の切替えを制御する。
【００３１】
方式判定部４−１４による判定が、基地局Ａ（１−２）の変調方式Ａの場合はスイッチＳＷ１（４−１６），スイッチＳＷ２（４−１７）をａ側に切替え、基地局Ｂ（１−３）の変調方式Ｂの場合はスイッチＳＷ１（４−１６），スイッチＳＷ２（４−１７）をｂ側に切替える。
【００３２】
送信時は、入力部４−１で、マイク等からの音声信号をデジタルデータに変換し、チャネルコーディング部４−２で、デジタルデータに制御情報を付加した送信フレームを生成し、スイッチＳＷ切替制御部４−１５の制御によるスイッチＳＷ１（４−１６）で選択された方の変調部（変調方式Ａ）４−３または変調部（変調方式Ｂ）４−４で変調処理を施し、送信部４−５で無線周波数帯の信号に変換した後、電力増幅器４−６で電力増幅し、デュプレクサ４−７を介して送受共用アンテナ４−８より、図１，図３の基地局Ａ（１−２）および基地局Ｂ（１−３）に対して送信する。
【００３３】
次に、移動局Ｃが図１に示すようにエリアＡからエリアＢに移動するときの動作を説明する。
【００３４】
移動局ＣがエリアＡにいる場合、図４におけるスイッチＳＷ１（４−１６），スイッチＳＷ２（４−１７）はａ側に初期設定されている。
【００３５】
入力部４−１で、マイク等からの音声信号をデジタルデータに変換し、チャネルコーディング部４−２で、デジタルデータに制御情報を付加した送信フレームを生成し、スイッチＳＷ１（４−１６）のａ側の変調部（変調方式Ａ）４−３で変調処理を施し、送信部４−５で無線周波数帯の信号に変換した後、電力増幅器４−６で電力増幅し、デュプレクサ４−７を介して送受共用アンテナ４−８より、図１，図３の基地局Ａ（１−２）および基地局Ｂ（１−３）に対して送信する。
【００３６】
図１，図３の基地局Ａ（１−２）においては、図３において、送受共用アンテナ３−７で移動局Ｃ（１−４）からの受信信号（無線周波数帯の信号）を受信すると、デュプレクサ３−６で送信側に回り込まないように制限し、受信部３−８でベースバンド周波数の信号に変換し、且つ無線受信レベルを検波しＲＳＳＩとして出力する。また、復調部３−９で復調処理を行い、チャネルデコーディング部３−１０で音声信号を再生し、入出力部３−１で音声信号と制御情報であるＲＳＳＩを、図１，図２の統制局１−１へ送信する。
【００３７】
一方、図１，図３の基地局Ｂ（１−３）においても、図３の送受共用アンテナ３−７で図１の移動局Ｃ（１−４）からの受信信号（無線周波数帯の信号）を受信すると、デュプレクサ３−６で送信側に回り込まないように制限し、受信部３−８でベースバンド周波数の信号に変換し、且つ無線受信レベルを検波しＲＳＳＩとして出力する。ただし、復調部３−９が復調方式Ｂなので、変調方式Ａの受信信号の復調処理が行えない。入出力部３−１では制御情報であるＲＳＳＩを、図１，図２の統制局１−１へ送信する。
【００３８】
図１，図２の統制局１−１では、受信電界強度比較部２−１で、基地局Ａ（１−２）と基地局Ｂ（１−３）からのＲＳＳＩを比較し、比較した結果を基に、方式決定部２−２で、基地局Ａ（１−２）の変調方式Ａか基地局Ｂ（１−３）の変調方式Ｂかを決定する。
【００３９】
移動局Ｃが図１のエリアＡにいるときは、基地局Ａ（１−２）からのＲＳＳＩの方が基地局Ｂ（１−３）からのＲＳＳＩより大きい。方式決定部２は、基地局Ａ（１−２）からのＲＳＳＩの方が基地局Ｂ（１−３）からのＲＳＳＩより大きいとき、基地局Ａ（１−２）の変調方式Ａを方式情報として決定し、決定した方式情報を図１，図３の基地局Ａ（１−２）及び基地局Ｂ（１−３）へ送信し続ける。
【００４０】
図１，図３の基地局Ａ（１−２）及び基地局Ｂ（１−３）では、入出力部３−１で、統制局１−１から送信される制御情報である方式情報と、本基地局で実施する変調方式（基地局Ａ（１−２）の場合は変調方式Ａ、基地局Ｂ（１−３）の場合は変調方式Ｂ）を比較し、一致する方の基地局Ａ（１−２）は、送信処理を実行し、一致しない方の基地局Ｂ（１−３）は、送信処理を実行しない。
【００４１】
基地局Ａ（１−２）は、チャネルコーディング部３−２で、音声信号と方式情報により送信フレームを生成し、送信フレームに対して、変調部３−３で変調処理を施し、送信部３−４で無線周波数帯の信号に変換し、電力増幅部３−５で無線出力レベルまで増幅し、デュプレクサ３−６を介して送受共用アンテナ３−７から図１，図４の移動局Ｃ（１−４）に対して送信する。
【００４２】
図１，図４の移動局Ｃ（１−４）では、送受共用アンテナ４−８で図１，図３の基地局Ａ（１−２）からの受信信号を受信し、デュプレクサ４−７で送信側に回り込まないように制限し、受信部４−９でベースバンド周波数の信号に変換し、スイッチＳＷ２（４−１７）のａ側の復調部（復調方式Ａ）４−１０で復調処理を施し、チャネルデコーディング部４−１２へ出力する。
【００４３】
チャネルデコーディング部４−１２では、音声信号と制御情報である方式情報に分割し、音声信号は出力部４−１３でスピーカ等から出力され、方式判定部４−１４で方式情報を基地局Ａ（１−２）の変調方式Ａと判定し、スイッチＳＷ１（４−１６），スイッチＳＷ２（４−１７）をａ側に維持する。
【００４４】
移動局ＣがエリアＡからエリアＢに移動するに伴い、図１，図２の統制局１−１において、基地局Ａ（１−２）からのＲＳＳＩがだんだん小さくなり、基地局Ｂ（１−３）からのＲＳＳＩがだんだん大きくなる。そして、逆転して、基地局Ａ（１−２）からのＲＳＳＩより基地局Ｂ（１−３）からのＲＳＳＩの方が大きくなった場合に、図２の統制局１−１における方式決定部２−２が、基地局Ｂ（１−３）の変調方式Ｂを方式情報として決定し、決定した方式情報を基地局Ａ（１−２）及び基地局Ｂ（１−３）へ送信し続ける。
【００４５】
図１，図３の基地局Ａ（１−２）及び基地局Ｂ（１−３）では、入出力部３−１で、統制局１−１から送信される制御情報である方式情報と、本基地局で実施する変調方式（基地局Ａ（１−２）の場合は変調方式Ａ、基地局Ｂ（１−３）の場合は変調方式Ｂ）を比較し、一致する方の基地局Ｂ（１−３）が、送信処理を実行し、一致しない方の基地局Ａ（１−２）は、送信処理を実行しない。
【００４６】
基地局Ｂ（１−３）は、チャネルコーディング部３−２で、音声信号と方式情報により送信フレームを生成し、送信フレームに対して、変調部３−３で変調処理を施し、送信部３−４で無線周波数帯の信号に変換し、電力増幅部３−５で無線出力レベルまで増幅し、デュプレクサ３−６を介して送受共用アンテナ３−７から図１，図４の移動局Ｃ（１−４）に対して送信する。
【００４７】
図１，図４の移動局Ｃ（１−４）では、送受共用アンテナ４−８で図１，図３の基地局Ｂ（１−３）からの受信信号を受信し、デュプレクサ４−７で送信側に回り込まないように制限し、受信部４−９でベースバンド周波数の信号に変換し、スイッチＳＷ２（４−１７）のａ側の復調部（復調方式Ａ）４−１０、チャネルデコーディング部４−１２を通過し、方式判定部４−１４で基地局Ｂ（１−３）の変調方式Ｂと判定し、スイッチＳＷ１（４−１６），スイッチＳＷ２（４−１７）をｂ側に切替える。
【００４８】
スイッチＳＷ２（４−１７）をｂ側に切替えることにより、図１，図３の基地局Ｂ（１−３）からの受信信号を復調部（復調方式Ｂ）４−１１で復調処理を施し、チャネルデコーディング部４−１２へ出力する。
【００４９】
チャネルデコーディング部４−１２では、音声信号と制御情報である方式情報に分割し、音声信号は出力部４−１３でスピーカ等から出力され、方式判定部４−１４で方式情報を基地局Ｂ（１−３）の変調方式Ｂと判定し、スイッチＳＷ１（４−１６），スイッチＳＷ２（４−１７）をｂ側に維持する。
【００５０】
本実施の形態では、移動局Ｃが図１に示すようにエリアＡからエリアＢの一方から他方に移動するとき、基地局Ａ（１−２）と基地局Ｂ（１−３）において、移動局Ｃ（１−４）から受信する無線キャリアレベルを検波しＲＳＳＩとして統制局１−１に入力し、統制局１−１において、基地局Ａ（１−２）と基地局Ｂ（１−３）からのＲＳＳＩを比較し比較した結果を基に、基地局Ａ（１−２）の変調方式Ａか基地局Ｂ（１−３）の変調方式Ｂかを方式情報として決定し、決定した方式情報を基地局Ａ（１−２）または基地局Ｂ（１−３）を介して移動局Ｃへ送信し続け、移動局Ｃは、受信した方式情報を判別して変調方式Ａか変調方式Ｂに自動的に切替えるので、移動局Ｃの変調方式を円滑に切替えることができる。
【図面の簡単な説明】
【００５１】
【図１】本発明による無線システムの実施の形態の構成図である。
【図２】本発明による無線システムにおける図１の統制局１−１の実施の形態の構成図である。
【図３】本発明による無線システムにおける図１の基地局Ａ（１−２），基地局Ｂ（１−３）の実施の形態の構成図である。
【図４】本発明による無線システムにおける図１の移動局Ｃ（１−４）の実施の形態の構成図である。
【符号の説明】
【００５２】
１−１：統制局、１−２：基地局Ａ、１−３：基地局Ｂ、１−４：移動局Ｃ、２−１：受信電界強度比較部、２−２：方式決定部、３−１：入出力部、３−２：チャネルコーディング部、３−３：変調部、３−４：送信部、３−５：電力増幅部、３−６：デュプレクサ、３−７：送受共用アンテナ、３−８：受信部、３−９：復調部、３−１０：チャネルデコーディング部、４−１：入力部、４−２：チャネルコーディング部、４−３：変調部（変調方式Ａ）、４−４：変調部（変調方式Ｂ）、４−５：送信部、４−６：電力増幅部、４−７：デュプレクサ、４−８：送受共用アンテナ、４−９：受信部、４−１０：復調部（復調方式Ａ）、４−１１：復調部（復調方式Ｂ）、４−１２：チャネルデコーディング部、４−１３：出力部、４−１４：方式判定部、４−１５：スイッチＳＷ切替制御部、４−１６：スイッチＳＷ１、４−１７：スイッチＳＷ２。
【図１】
2008085771.tif 000003
【図２】
2008085771.tif 000004
【図３】
2008085771.tif 000005
【図４】
2008085771.tif 000006